(57)【要約】【課題】キャビネットの扉前面への水垂れを防ぎ、扉木口やキャビネット内への水の浸入を防止することができるキッチンカウンタの水切り構造を提供する。【解決手段】キッチンカウンタに設けられる水切り構造であって、該水切り構造ＡはカウンタＣの天板１の前端部１１裏面に装着され、上記天板１の前縁部１１１からの垂れ水を後方へ伝え流す傾斜面２とこの傾斜面２を一辺とする側断面略Ｖ字型の水切り部３とからなり、上記水切り部３がカウンタＣの下方に設けられたキャビネット５の扉４よりも前方に位置するようにされたキッチンカウンタの水切り構造Ａ。【選択図】図１
2006320447.tif 000002
【特許請求の範囲】
【請求項１】
キッチンカウンタに設けられる水切り構造であって、該水切り構造はカウンタの天板の前端部裏面に装着され、上記天板の前縁部からの垂れ水を後方へ伝え流す傾斜面とこの傾斜面を一辺とする側断面略Ｖ字型の水切り部とからなり、上記水切り部がカウンタの下方に設けられたキャビネットの扉よりも前方に位置するようにされたキッチンカウンタの水切り構造。
【請求項２】
上記側断面略Ｖ字型の水切り部の後方に遮水用溝部が設けられた請求項１に記載のキッチンカウンタの水切り構造。
【請求項３】
上記天板と水切り部とが同一材料で構成され、全体が一体的に成形された請求項１に記載のキッチンカウンタの水切り構造。
【発明の詳細な説明】
【技術分野】
【０００１】
本発明は、キッチンカウンタの水切り構造に関する。
【背景技術】
【０００２】
従来、キッチンカウンタ等水回りに用いられる天板は耐水性、耐磨耗性等の見地からメラミン樹脂化粧板、人造大理石等を用い、その前縁は天板の表面から垂れた水がスムースに流下するようにアール加工されている。
【特許文献１】特開２００２−２１０８４７号公報（第１〜３頁、第１図、第３図）
【発明の開示】
【発明が解決しようとする課題】
【０００３】
しかしながら、上記特許文献１に開示されているように、カウンタの天板にアール加工しても、垂れた水は天板の前縁を伝って流下し、カウンタの下方に設けられたキャビネットの扉前面に滴り落ちたり、扉木口を濡らし、扉を膨潤させ、腐食させるという問題がある。本発明はこのような問題を解決して、垂れ水が扉前面へ滴り落ちることを防ぐとともに、扉木口やキャビネット内への水の浸入を防止することができるキッチンカウンタの水切り構造を提供することを、その課題とする。
【課題を解決するための手段】
【０００４】
上記課題を解決するために、本発明においては、つぎのような技術的手段を講じている。すなわち、本発明によれば、キッチンカウンタに設けられる水切り構造であって、該水切り構造はカウンタの天板の前端部裏面に装着され、上記天板の前縁部からの垂れ水を後方へ伝え流す傾斜面とこの傾斜面を一辺とする側断面略Ｖ字型の水切り部とからなり、上記水切り部がカウンタの下方に設けられたキャビネットの扉よりも前方に位置するようにされたキッチンカウンタの水切り構造が提供される。
【０００５】
上記側断面略Ｖ字型の水切り部の後方に遮水用溝部を設けてもよい。上記遮水用溝部の形状はとくに限定されず、側断面略Ｖ字型、コの字型等、下方に開口した溝部が好ましく用いられる。
【０００６】
上記天板と水切り部とを同一材料、例えば合成樹脂等で構成し、全体を一体的に成形してもよい。
【発明の効果】
【０００７】
請求項１に記載の発明にかかるキッチンカウンタの水切り構造は上記のとおりであり、カウンタからの垂れ水を後方へ伝え流す傾斜面とこの傾斜面を一辺とする側断面略Ｖ字型の水切り部とからなり、上記水切り部がカウンタの下方に設けられたキャビネットの扉よりも前方に位置するようにされているため、垂れ水が上記扉の前面に滴り落ちたり、扉の木口を濡らすことがないため、扉の膨潤や腐食を防ぎ、キャビネット内への水の浸入を防止することができる。
【０００８】
上記側断面略Ｖ字型の水切り部の後方に遮水用溝部が設けられているため、水切り部から後方への水の浸入をさらに遮断することができる。また、上記天板と水切り部とを同一材料で構成し、全体を一体的に成形することにより、部品点数を削減することができる。
【発明を実施するための最良の形態】
【０００９】
以下、本発明の実施形態について図面を参照して、詳細に説明する。図１は、本発明にかかるキッチンカウンタの水切り構造Ａの第１実施形態を示す側断面図である。図１に示されているように、上記水切り構造Ａは、カウンタＣの天板１の前端部１１の裏面に装着され、上記天板１の前縁部１１１に垂下する水を後方へ向けて伝え流す傾斜面２とこの傾斜面２を一辺とする側断面略Ｖ字型の水切り部３とからなる。図１からよくわかるように、上記水切り部３はカウンタＣの下方に設けられたキャビネット５の扉４よりも前方に位置するようにされている。
【００１０】
天板１の上に溜まった跳ね水等は前縁部１１１を垂れ下がり傾斜面２に沿って後方へ、すなわちカウンタＣの中央部方向へ流れる。上記水切り部３は側断面略Ｖ字型とされているため、水の流れはこの部分で妨げられ、水切り部３の頂部からキャビネット５の扉４よりも前方に滴下する。このようにすることにより、垂れ水が扉４の前面に滴り落ちたり、扉４の木口を濡らすことを防ぎ、扉４の膨潤や腐食、あるいはキャビネット５内への水の浸入を防止することができる。
【００１１】
図２は、本発明にかかるキッチンカウンタの水切り構造Ａの第２実施形態を示す側断面図である。図２に示されているように、第２実施形態においては第１図に示す水切り部３の後方に、側断面略Ｖ字型の下方に開口した遮水用溝部６が設けられ、水切り部３から後方への水の浸入を遮断するようにされている。図３は、上記本発明にかかるキッチンカウンタの水切り構造Ａの第２実施形態の変形例を示す側断面図である。図３においては、第１図に示す水切り部３の後方に、側断面略コの字型の下方に開口した遮水用溝部６が設けられ、水切り部３から後方への水の浸入を遮断するようにされている。
【００１２】
図２、図３から明らかなように、第２実施形態およびその変形例においても、垂れ水は、水切り部３の頂部からキャビネット５の扉４よりも前方に滴下し、水が扉４の前面に滴り落ちたり、扉４の木口を濡らすことがないため、扉４の膨潤や腐食を防ぎ、キャビネット５内への水の浸入を防止することができる。
【００１３】
なお、上記実施形態は天板１と水切り構造Ａとを別部材、例えば天板１を人造大理石、水切り構造Ａをアルミで構成した例を示したが、これらを同一材料から一体的に形成してもよい。例えば、天板１を合成樹脂とする場合、水切り構造Ａも同じ種類の合成樹脂とし、全体を当初より一体的に成形してもよい。
【図面の簡単な説明】
【００１４】
【図１】本発明にかかるキッチンカウンタの水切り構造の第１実施形態を示す側断面図である。
【図２】本発明にかかるキッチンカウンタの水切り構造の第２実施形態を示す側断面図である。
【図３】本発明にかかるキッチンカウンタの水切り構造の第２実施形態の変形例を示す側断面図である。
【符号の説明】
【００１５】
Ａ          本発明にかかるキッチンカウンタの水切り構造
Ｃ          カウンタ
１          天板
１１        前端部
１１１      前縁部
２          傾斜面
３          水切り部
４          扉
５          キャビネット
６          遮水用溝部
【図１】
2006320447.tif 000003
【図２】
2006320447.tif 000004
【図３】
2006320447.tif 000005